(57)【要約】    【課題】      ＳＳＤＴ状態において、ソフトハンドオーバによりプライマリセルが削除される場合の無線回線の瞬断を防ぐこと。    【解決手段】  移動機１０側は、制御部１５がソフトハンドオーバにより削除されるセルがプライマリセルであるか否かを判断し、削除されるセルがプライマリである場合には、モード切替部１６がソフトハンドオーバの対象となっている全てのセルのデータを合成するようにモードを切り替える。また、移動通信制御部２３ではプライマリセル判断部２１によりプライマリが削除されると判断した場合、ソフトハンドオーバの対象となっている全てのセルから移動機１０に対してデータを送信するように制御する。  【選択図】      図１
2006295678.tif 000002
【特許請求の範囲】
【請求項１】
ＣＤＭＡ方式無線通信システムにおけるＳＳＤＴ対応の無線通信端末であって、
受信信号から複数のセルのＣＰＩＣＨ受信パワを測定し、最も受信パワが大きいセルを選択するプライマリセル選択手段と、
前記プライマリセル選択手段により選択されたプライマリセルのＩＤがソフトハンドオーバにより削除されるセルと同じＩＤであるか否かを判断する制御手段と、
前記制御手段における判断結果に応じて、ソフトハンドオーバの対象となっているセルからのデータを合成するモードを切り替えるモード切替手段と、
を具備することを特徴とする無線通信端末。
【請求項２】
前記モード切替手段は、ＳＳＤＴ状態においてソフトハンドオーバにより現在のプライマリセルを削除するように指示された場合に、ソフトハンドオーバの対象となっている全てのセルからのデータを合成するモードに切り替えることを特徴とする請求項１記載の無線通信端末。
【請求項３】
ＳＳＤＴ対応のＣＤＭＡ方式無線通信システムにおける移動通信制御局であって、
上りリンクのフィードバック情報によりプライマリセルがどのセルであるかを選択するプライマリセル判断手段と、
前記プライマリセル判断手段における判断結果に応じて、各基地局の送信を制御する基地局制御手段と、
を具備することを特徴とする移動通信制御局。
【請求項４】
前記基地局制御手段は、ＳＳＤＴ状態においてネットワークがソフトハンドオーバにより現在のプライマリセルを削除するように指示した場合、プライマリセルのみからデータを送るのではなく、ソフトハンドオーバの対象となっている全てのセルから移動機にデータを送信するように基地局を制御することを特徴とする請求項３記載の移動通信制御局。
【請求項５】
前記基地局制御手段は、ＳＳＤＴ状態においてソフトハンドオーバの対象となるセルを決定する際に、現在のプライマリセルを考慮し、ソフトハンドオーバにおいてプライマリセルを削除しないように基地局を制御することを特徴とする請求項３記載の移動通信制御局。
【発明の詳細な説明】
【技術分野】
【０００１】
本発明は、本発明は、符号分割多元接続（ＣＤＭＡ）方式を用いた無線通信システムに関し、特に、３ＧＰＰ規格における送信ダイバーシチについてサイト選択ダイバーシチ送信電力制御（ＳＳＤＴ：Site Selection Diversity Transmit Power Control）を行う無線通信端末及び移動通信制御局に関する。
【背景技術】
【０００２】
第３世代移動通信システムの規格である３ＧＰＰ(３rd Generation Partnership Project)においては、サイト選択ダイバーシチ送信電力制御（ＳＳＤＴ：Site Selection Diversity Transmit Power Control）と呼ばれる方式が規格化されている。このＳＳＤＴ状態は、移動機が複数のセルに跨る場合のソフトハンドオーバ時に適用されるパワコントロールのオプションであり、下りの干渉量の増大を防ぎ、またネットワークの負荷を増大させることなく高速セル選択を行うために用いられる。そして、このＳＳＤＴ状態では、ソフトハンドオーバ中の複数セルの内、１つのセルが“プライマリ”、また残りのセルが“ノンプライマリ”となり、プライマリセルだけがソフトハンドオーバの対象となる移動機に対して個別チャンネルであるＤＰＤＣＨ（Dedicated Physical Data Channel）を送信し、他のセルは対象となる移動機に対してＤＰＤＣＨを送信しない方式になっている。
【０００３】
高速セル選択のためのＳＳＤＴ状態にあって、移動機はソフトハンドオーバ中の各セルにおける共通パイロットチャンネル（ＣＰＩＣＨ：Common Pilot Channel）の受信パワを測定してプライマリセルを決定し、定期的にフィードバック識別子（ＦＢＩ：Feed Back indicator）を用いてプライマリセルのＩＤコードをネットワーク側に送信する。この場合、プライマリセルを決定するＩＤコードについては、例えば、非特許文献１に開示の表１〜３に示される。
【０００４】
【表１】
2006295678.tif 000003
表１の左列はＩＤラベルであり、右列はＩＤコードである。
【０００５】
【表２】
2006295678.tif 000004
表２の右列の括弧は、「行と列はスロット位置とＦＢＩビット位置を表す。」である。
【０００６】
【表３】
2006295678.tif 000005
表３の左列はコード長であり、右列はＳＳＤＴでのスロット当りのＦＢＩビット数である。
【０００７】
表１〜３にあって、移動機からネットワーク側への送信に用いられるＦＢＩは、１スロット（０．６６７ｍｓ）に１ビットもしくは２ビットが割り当てられ、表１はＦＢＩに１ビット割り当てられた場合のＩＤコードを示し、表２はＦＢＩに２ビット割り当てられた場合のＩＤコードを示している。
【０００８】
表１、２に示すように、ＩＤコードのコード長は“long”、“medium”、“short”の３種類用意され、またセルを識別するＩＤラベルは“a”、“b”、“c”、“d”、“e”、“f”、“ｇ”、“ｈ”の８種類決められている。ＩＤコードは３種類のＩＤコード長と８種類のＩＤラベルの組み合わせにより２４種類用意される。
【０００９】
ここで、ＩＤコードが１フレーム（１０ｍｓ）内の各ＦＢＩフィールドに挿入できない場合には、表２の括弧で示されている最初のビットがパンクチャリングされる。
【００１０】
表３は、ＳＳＤＴ状態におけるＦＢＩの更新周期を示す表である。表３に示されるＦＢＩの更新周期はプライマリセルの更新周期を表す。例えば、ＩＤコード長が“short“、ＦＢＩが１ビット割り当てられた場合では、表１よりＩＤコードが５ビットとなり、ＦＢＩは１フレーム当たり１５ビット伝送されるため、１フレーム当たり３回のプライマリセルの更新を行うこととなる。
【００１１】
こうして、ＦＢＩのＩＤコードを用いてプライマリセルがネットワーク側に送信されることになる。次いで、ネットワーク側は、以下の条件に従って“プライマリ”、“ノンプライマリ”を決定する。すなわち、各セルで受信したＩＤコードが自セルのＩＤコードと不一致で、かつ、上りリンクの受信信号品質が所定の閾値を越え、かつ、上りリンクでのコンプレスモード時に（ＩＤコードのデータ長）/３より少ないシンボルがパンクチャリングされた場合、換言すれば自分以外のセルで干渉量が増大し過剰負荷の場合には、そのセルをノンプライマリセルとする。上記の３つの条件を１つでも満たさない場合にはセルをプライマリセルとする。こうしてプライマリセルが対象となる移動機に対してＤＰＤＣＨを送信する。以上のようにして移動機及びネットワーク側にてプライマリ選択と送信が行われる。
【００１２】
次に、ソフトハンドオーバについて図３を用いて説明する。図３は、ソフトハンドオーバによりセルが削除される過程を示す図である。ソフトハンドオーバは、セル境界付近において移動機が同時に複数のセルと無線リンクを接続して通信を行うことであり、ソフトハンドオーバを用いることにより受信品質の向上、セル切り替え時の無瞬断通信を実現できる。
【００１３】
ここにおいて、セルを削除する場合、まず移動機側で基地局の受信信号レベルを測定し、測定した結果をセル削除要求であるMeasurement Report（event１b）メッセージとしてネットワーク側に送信する。そして、ネットワーク側がメッセージを受信すると削除するセルの下り送信を止め、移動機側にセル削除指示であるActive Set Updateメッセージを送信する。そして、移動機がActive Set Updateメッセージを受信し、削除されたセルの合成を止め、削除完了を示すActive Set Update Completeメッセージをネットワーク側に送信することでソフトハンドオーバが完了する。なお、ソフトハンドオーバでのセル選択方法については、例えば、特許文献１に開示されている。
【特許文献１】特開２００３-１３４５５０号公報
【非特許文献１】3GPP TS 25.214 V5.8.0（3rd Generation Partnership Project; Technical Specification Group Radio Access Network; Physical layer procedures(FDD)（Release ５））
【発明の開示】
【発明が解決しようとする課題】
【００１４】
しかしながら、従来の無線通信端末や無線通信システムにおいては、ＳＳＤＴ状態でソフトハンドオーバにより削除されるセルがプライマリセルである場合、セルが削除されてから新たにプライマリセルが決まるまでの間、回線が切断されてしまうという問題がある。
【００１５】
具体的には、ＳＳＤＴ状態におけるソフトハンドオーバによりセルを削除する場合、すなわち、現在のプライマリセルがＲＬ（Radio Link）０であり、ソフトハンドオーバによりＲＬ０が削除される場合、移動機から削除完了を示すActive Set Update Completeメッセージをネットワークが受信した後、さらにＦＢＩを受信してプライマリセルが変更されるまでの間、図４に示すように、いずれのセルもＤＰＤＣＨを送信していない区間、つまり回線の切断が起こってしまう。
【００１６】
本発明はかかる点に鑑みてなされたものであり、ＳＳＤＴ状態におけるソフトハンドオーバによりプライマリセルが削除された場合に、通信の切断を防ぐ無線通信端末及び移動通信制御局を提供することを目的とする。
【課題を解決するための手段】
【００１７】
本発明の無線通信端末は、ＣＤＭＡ方式無線通信システムにおけるＳＳＤＴ対応の無線通信端末であって、受信信号から複数のセルのＣＰＩＣＨ受信パワを測定し、最も受信パワが大きいセルを選択するプライマリセル選択手段と、前記プライマリセル選択手段により選択されたプライマリセルのＩＤがソフトハンドオーバにより削除されるセルと同じＩＤであるか否かを判断する制御手段と、前記制御手段における判断結果に応じて、ソフトハンドオーバの対象となっているセルからのデータを合成するモードを切り替えるモード切替手段と、を具備する構成を採る。
【発明の効果】
【００１８】
本発明によれば、ＳＳＤＴ状態におけるソフトハンドオーバによりプライマリセルが削除される場合に、データを合成するモードを切り替えることにより通信の切断を防ぐことができる。
【発明を実施するための最良の形態】
【００１９】
以下、本発明の実施の形態について、図面を参照して詳細に説明する。
【００２０】
（実施の形態１）
図１は、本発明の実施の形態１に係る移動機１０の受信側の構成を示すブロック図である。この図において、移動機１０は、外部からの信号を受信するアンテナ１１を有し、このアンテナ１１に接続された受信部１２は、アンテナ１１により受信した信号が入力され、ＣＤＭＡ方式に基づく所定の拡散コードで逆拡散を行い、逆拡散した入力信号を復調部１３に出力する。
【００２１】
復調部１３は、受信部１２から出力された逆拡散後の信号に対して復調処理を行い、復調した信号に含まれるＣＰＩＣＨをプライマリセル選択部１４に出力する。また、復調部１３は、復調した信号に削除されるセルのＩＤが含まれている場合、このＩＤを制御部１５に出力する。
【００２２】
プライマリセル選択部１４は、復調部１３から出力された複数セルのＣＰＩＣＨの受信パワを測定し、最も受信電力が大きいセルをプライマリセルとして選択し、選択したセルのＩＤを制御部１５に出力する。
【００２３】
制御部１５は、プライマリセル選択部１４により選択されたプライマリセルのＩＤと、復調部１３から出力されたソフトハンドオーバにより削除されるセルのＩＤが同じか否かを判断する。
【００２４】
モード切替部１６は、制御部１５における判断結果により、ソフトハンドオーバにより現在のプライマリセルを削除するように指示された場合にも、従来の方式であるプライマリセルのみのデータを合成するモードから全てのセルからのデータを合成するモードに切り替える。そして、このモード切替部１６でのセルデータを合成するモード切り替えにより、受信部１２、復調部１３によって一つのプライマリセルが削除されても残りのセルから送信されるＤＰＤＣＨ等を受信することができるので、通信の切断を防ぐことができる。
【００２５】
移動機１０のソフトハンドオーバの動作としては、ＳＳＤＴ状態において、プライマリセル選択部１４が、受信信号のＣＰＩＣＨの受信パワを測定して最も受信パワが大きいセルのＩＤを制御部１５に出力した場合、制御部１５ではプライマリセル選択部１４から出力された最大受信パワＩＤと、セル削除指示であるActive Set Updateメッセージによりネットワーク側から報告された削除されるべきセルのＩＤとを比較して、両方のＩＤが等しい場合にはプライマリセルが削除されると判断する。
【００２６】
この場合、モード切替部１６は、ソフトハンドオーバの対象になっている全てのセルからのＤＰＤＣＨを合成するモードに切り替える。ここで、モード切替部１６によるソフトハンドオーバの対象となっている全てのセルからのデータを合成する期間は、図４にて前述したActive Set Update Completeメッセージを送信してから、プライマリセルが変更されるまでの期間とすればよい。
【００２７】
なお、制御部１５でのＩＤが一致しない場合には、従来のＳＳＤＴの方式であるプライマリセルのみからのＤＰＤＣＨを合成するモードを維持する。
【００２８】
図２は、本発明の実施の形態１に係るネットワーク側の二つの基地局２２及び移動通信制御局２３の簡略構成を示すブロック図である。この図において、基地局２２は、信号を送受信するアンテナ１７を有し、このアンテナ１７に接続された受信部１９は、アンテナ１７により受信した信号が入力され、逆拡散及び復調処理を行った後、受信したフィードバック識別子であるＦＢＩを移動通信制御局２３に出力する。また、送信部１８は、移動機１０に例えばＣＰＩＣＨ等を送信する。
【００２９】
移動通信制御局２３は、基地局制御部２０及びプライマリセル判断部２１を有し、この内プライマリセル判断部２１は、上りリンクのＦＢＩを用いたプライマリセルのＩＤが削除されるセルであるか否かを判断して、判断した結果を基地局制御部２０に出力する。
【００３０】
基地局制御部２０は、プライマリセル判断部２１における判断結果により削除されるセルが“プライマリ”である場合には、ソフトハンドオーバの対象となっている全てのセルから移動機１０に対してＤＰＤＣＨを送信するように制御し、また、削除されるセルが“プライマリ”でない場合には、従来通りプライマリセルのみから対象となる移動機１０に対してＤＰＤＣＨを送信するように基地局２２を制御する。従って、この基地局制御部２０によって、一つのプライマリセルが削除されても残りのセルがＤＰＤＣＨを送信することができるので、通信の切断を防ぐことができる。
【００３１】
次に、移動通信制御局２３の動作について説明する。移動通信制御部２３のプライマリセル判断部２１は、ソフトハンドオーバでのセル削除要求であるMeasurement Report（event１b）メッセージが移動機１０から報告された基地局２２の受信パワに基づいて、削除される低い受信パワのセルのＩＤと、移動機１０側から送られたＦＢＩから得られたプライマリセルのＩＤとを比較し、ＩＤが等しい場合には基地局制御部２０に削除されるセルが“プライマリ”であることを通知する。ＩＤが等しくない場合には削除されるセルが“ノンプライマリ”であることを通知する。
【００３２】
基地局制御部２０はプライマリセル判断部２１により得られた結果により削除されるセルが”プライマリ“である場合にはソフトハンドオーバの対象となっている全てのセルに対して、対象となる移動機１０にＤＰＤＣＨを送信するように制御する。また、削除されるセルが”ノンプライマリ“である場合にはプライマリセルのみＤＰＤＣＨを対象となる移動機１０に対して送信するように制御し、その他のセルに対しては、対象となる移動機１０に対してＤＰＤＣＨを送信しないように制御する。
【００３３】
ここで、移動通信制御局２３側においてソフトハンドオーバ中の全てのセルからデータを送信する期間は、セル削除指示であるActive Set Updateメッセージを送信してから、プライマリセルが変更されるまでの期間とすればよい。
【００３４】
このように本実施の形態によれば、ＳＳＤＴ状態において、ソフトハンドオーバによりプライマリセルが削除される場合に、基地局制御局部２０がソフトハンドオーバの対象となっている全てのセルから移動機１０に対してＤＰＤＣＨを送信するように制御し、また移動機１０はソフトハンドオーバの対象となっている全てのセルからのデータを合成するようにすることにより、通信の切断を防ぐことができる。
【００３５】
なお、移動機１０において、ソフトハンドオーバの対象となっている全てのセルからのデータを合成する期間はActive Set Update Completeメッセージを送信する前から始めてもよい。また、ソフトハンドオーバの対象となっている全てのセルからのデータを合成する期間はプライマリセルが変更された後も継続してよい。
【００３６】
また、移動通信制御局２３において、ソフトハンドオーバ中の全てのセルからデータを送信する期間はActive Set Updateメッセージを送信する前から始めてもよい。また、ソフトハンドオーバ中の全てのセルからのデータを送信する区間はプライマリセルが変更された後も継続してよい。
【００３７】
（実施の形態２）
本発明の実施の形態２に係るネットワーク側の二つの基地局２２及び移動通信制御局２３の構成は図２と同じであるので、図２を援用して説明する。図２において、基地局２２の受信部１９は、アンテナ１７により受信した信号が入力され、逆拡散及び復調処理を行った後、受信したＦＢＩを移動通信制御局２３に出力する。
【００３８】
移動通信制御局２３は、プライマリセル判断部２１により削除されるセルがプライマリセルであるか否かを判断して、判断した結果を基地局制御部２０に出力する。
【００３９】
本実施の形態では、基地局制御部２０はプライマリセル判断部２１における判断結果により削除されるセルが“プライマリ”である場合には、ソフトハンドオーバにおいてプライマリセルを削除しないようにする。
【００４０】
次に、移動通信制御局２３の動作について説明する。プライマリセル判断部２１は、移動機１０側から送られたソフトハンドオーバでのセル削除要求であるMeasurement Report（event１b）メッセージにより報告された基地局２２のＣＰＩＣＨ受信パワ等の受信信号レベルに基づいて、受信信号レベルが低いために削除される基地局２２のＩＤと移動機１０側から送られたＦＢＩから得られたプライマリセルのＩＤとを比較し、両方のＩＤが等しい場合には、削除されるセルが“プライマリ”であることを基地局制御部２０に通知する。ＩＤが等しくない場合には、削除されるセルが“ノンプライマリ”であることを通知する。
【００４１】
基地局制御部２０は、削除されるセルが“プライマリ”である場合には、プライマリセルを削除せずに、削除要求を無視して、削除されるセルのデータ送信を止めないようにする。
【００４２】
このように実施の形態２によれば、ＳＳＤＴ状態において、ソフトハンドオーバによりプライマリセルの削除要求があった場合に、基地局制御部２０が現在通信しているプライマリセルを考慮して、ソフトハンドオーバにおいてプライマリセルを削除しないように制御することにより、プライマリセルが削除されることを防ぎ、通信の切断を防ぐことができる。
【産業上の利用可能性】
【００４３】
本発明にかかる無線通信端末及び移動通信制御局は、Ｗ−ＣＤＭＡ方式等の移動体通信システムにおいて使用される無線通信端末、移動通信制御局に好適である。
【図面の簡単な説明】
【００４４】
【図１】本発明の実施の形態１に係る移動機の受信側の構成を示すブロック図
【図２】本発明の実施の形態１及び２に係るネットワーク側の二つの基地局及び移動通信制御局の簡略構成を示すブロック図
【図３】ソフトハンドオーバによりセルを削除する過程の説明に供する図
【図４】ＳＳＤＴ状態においてソフトハンドオーバによりセルを削除する過程の説明に供する図
【符号の説明】
【００４５】
１０  移動機
１４  プライマリセル選択部
１５  制御部
１６  モード切替部
２０  基地局制御部
２１  プライマリセル判断部
２２  基地局
２３  移動通信制御局
【図１】
2006295678.tif 000006
【図２】
2006295678.tif 000007
【図３】
2006295678.tif 000008
【図４】
2006295678.tif 000009